(57)【要約】【課題】  部品点数を増加させることなくホルダ装置が破損することを防止できる車両用ホルダ装置の提供。【解決手段】ストッパ５０が、ホルダ本体側ストッパ５１とサポートアーム側ストッパ５２の一方が他方によって押されて撓むことで、突出位置３０ａにおけるサポートアーム３０の規制を解除するため、サポートアーム３０を突出位置３０ａよりも上方に回動させることができ、ホルダ装置１０を破損させることなく収納物を収納部２４から引き抜くことができる。また、ホルダ本体側ストッパ５１がホルダ本体２０に一体に設けられておりサポートアーム側ストッパ５２がサポートアーム３０に一体に設けられており、ホルダ本体側ストッパ５１とサポートアーム側ストッパ５２の一方が樹脂弾性を利用して弾性変形可能とされているため、部品点数を増加させずにストッパ５０の規制を解除させることができる。【選択図】        図８
2010269755.tif 000002
【特許請求の範囲】
【請求項１】
収納物が収納される収納部を備えるホルダ本体と、
前記ホルダ本体に上下方向に回動可能に支持され前記収納部に収納される収納物の側面を支持するサポートアームと、
前記サポートアームを前記ホルダ本体に対し上方に回動付勢するサポート付勢バネと、
前記ホルダ本体に一体に設けられるホルダ本体側ストッパと前記サポートアームに一体に設けられるサポートアーム側ストッパとを備え前記サポートアームが前記収納部内に突出する突出位置にあるときに前記ホルダ本体側ストッパと前記サポートアーム側ストッパとが当接し合いそれ以上前記サポートアームが前記ホルダ本体に対し上方に回動することを規制するストッパと、
を有する車両用ホルダ装置であって、
前記ホルダ本体側ストッパと前記サポートアーム側ストッパの一方は、樹脂弾性を利用して弾性変形可能とされており、
前記ストッパは、前記突出位置にある前記サポートアームに上方への荷重がかかった際に、前記ホルダ本体側ストッパと前記サポートアーム側ストッパの一方が前記ホルダ本体側ストッパと前記サポートアーム側ストッパの他方によって押されて撓むことで、前記突出位置における前記サポートアームの前記規制を解除する、車両用ホルダ装置。
【発明の詳細な説明】
【技術分野】
【０００１】
本発明は、車両用カップホルダ等の車両用ホルダ装置に関する。
【背景技術】
【０００２】
従来の車両用ホルダ装置は、図１１、図１２に示すように、ベース２ａとパネル２ｂを備え収納物Ｃが収納される収納部２ｃを備えるホルダ本体２と、ホルダ本体２に上下方向に回動可能に支持され収納部２ｃに収納される収納物Ｃの側面を支持するサポートアーム３と、ホルダ本体２に設けられサポートアーム３が収納部２ｃ内に突出する突出位置３ａにあるときにサポートアーム３が当接しそれ以上サポートアーム３がホルダ本体２に対し上方に回動することを規制するストッパ５と、を有する。
【０００３】
しかし、収納物Ｃの側面に凹部Ｃ１がある場合、収納物Ｃを収納部２ｃから引き抜く際に凹部Ｃ１がサポートアーム３に引っ掛かることがある。その場合、無理に収納物Ｃを引き抜こうとすると、ホルダ装置（サポートアーム３の軸部など）が破損するおそれがある。
【０００４】
この問題点を解決するものとして、特開２００７−３２０４９２号公報および特開２００７−３２０４９３号公報に開示される車両用ホルダ装置がある。
これらの公報に開示される車両用ホルダ装置では、サポートアームの回動軸部がホルダ本体に設けられるガイド溝に沿って上下動可能とされており、サポートアームの回動軸部を下方から支持する支持部材（スライド座部、支持部材）と該支持部材を下方から付勢する付勢スプリングとを備えており、付勢スプリングの付勢力に抗して支持部材を押し下げることでサポートアームの回動軸部を下方に移動させサポートアームの先端側を上方に向わせることができるようになっている。
【０００５】
しかし、上記公報開示の車両用ホルダ装置では、支持部材と該支持部材を付勢する付勢スプリングを有するため、部品点数が増加しコストがかかってしまう。
【先行技術文献】
【特許文献】
【０００６】
【特許文献１】特開２００７−３２０４９２号公報
【特許文献１】特開２００７−３２０４９３号公報
【発明の概要】
【発明が解決しようとする課題】
【０００７】
本発明の目的は、部品点数を増加させることなくホルダ装置が破損することを防止できる車両用ホルダ装置を提供することにある。
【課題を解決するための手段】
【０００８】
上記目的を達成する本発明はつぎの通りである。
（１）  収納物が収納される収納部を備えるホルダ本体と、
前記ホルダ本体に上下方向に回動可能に支持され前記収納部に収納される収納物の側面を支持するサポートアームと、
前記サポートアームを前記ホルダ本体に対し上方に回動付勢するサポート付勢バネと、
前記ホルダ本体に一体に設けられるホルダ本体側ストッパと前記サポートアームに一体に設けられるサポートアーム側ストッパとを備え前記サポートアームが前記収納部内に突出する突出位置にあるときに前記ホルダ本体側ストッパと前記サポートアーム側ストッパとが当接し合いそれ以上前記サポートアームが前記ホルダ本体に対し上方に回動することを規制するストッパと、
を有する車両用ホルダ装置であって、
前記ホルダ本体側ストッパと前記サポートアーム側ストッパの一方は、樹脂弾性を利用して弾性変形可能とされており、
前記ストッパは、前記突出位置にある前記サポートアームに上方への荷重がかかった際に、前記ホルダ本体側ストッパと前記サポートアーム側ストッパの一方が前記ホルダ本体側ストッパと前記サポートアーム側ストッパの他方によって押されて撓むことで、前記突出位置における前記サポートアームの前記規制を解除する、車両用ホルダ装置。
【発明の効果】
【０００９】
上記（１）の車両用内装装置によれば、ストッパが、突出位置にあるサポートアームに上方への荷重がかかった際に、ホルダ本体側ストッパとサポートアーム側ストッパの一方がホルダ本体側ストッパとサポートアーム側ストッパの他方によって押されて撓むことで、突出位置におけるサポートアームの規制を解除するため、サポートアームを突出位置よりも上方に回動させることができ、ホルダ装置（サポートアームの軸部等）を破損させることなく収納物を収納部から引き抜くことができる。
また、ホルダ本体側ストッパがホルダ本体に一体に設けられておりサポートアーム側ストッパがサポートアームに一体に設けられており、ホルダ本体側ストッパとサポートアーム側ストッパの一方が樹脂弾性を利用して弾性変形可能とされているため、部品点数を増加させずにストッパの規制を解除させることができる。
【図面の簡単な説明】
【００１０】
【図１】本発明実施例１の車両用ホルダ装置の、平面図である。
【図２】本発明実施例１の車両用ホルダ装置の、ホルダ本体のケース体以外の斜視図である。
【図３】本発明実施例１の車両用ホルダ装置の、図２の状態の分解斜視図である。
【図４】本発明実施例１の車両用ホルダ装置の、ホルダ本体のケース体以外の、図２とは異なる方向から見たときの斜視図である。
【図５】本発明実施例１の車両用ホルダ装置の、図４の状態の分解斜視図である。
【図６】図１のＡ−Ａ線断面図である。
【図７】図１のＢ−Ｂ線断面図である。
【図８】本発明実施例１の車両用ホルダ装置の、ストッパとその近傍のみを示す部分拡大断面図である。
【図９】本発明実施例２の車両用ホルダ装置の、ストッパとその近傍のみを示す部分拡大断面図である。
【図１０】本発明実施例３の車両用ホルダ装置の、ストッパとその近傍のみを示す部分拡大断面図である。
【図１１】従来の車両用ホルダ装置の、（ａ）ストッパがパネルにあるときの、ホルダ本体のベースおよびパネルとサポートアームの断面図と、（ｂ）ストッパがベースにあるときの、ホルダ本体のベースおよびパネルとサポートアームの断面図である。
【図１２】従来の車両用ホルダ装置の、ストッパがパネルにあるときの、収納物を収納部から引き抜く際の断面図である。
【発明を実施するための形態】
【００１１】
図１〜図８は、本発明実施例１の車両用ホルダ装置を示しており、図９は、本発明実施例２の車両用ホルダ装置を示しており、図１０は、本発明実施例３の車両用ホルダ装置を示している。
本発明全実施例にわたって共通する部分には、本発明全実施例にわたって同じ符号を付してある。
まず、本発明全実施例にわたって共通する部分を、たとえば図１，３，５，６，８を参照して、説明する。
【００１２】
本発明実施例の車両用ホルダ装置１０は、たとえば、車両用カップホルダ装置、車両用小物入れ装置などである。
【００１３】
車両用ホルダ装置１０は、図１に示すように、収納物が収納される収納部２４を備えるホルダ本体２０と、ホルダ本体２０に上下方向に（収納部２４の開口２４ａに接近離反する方向に）回動可能に支持され収納部２４に収納される収納物の側面を支持するサポートアーム３０と、図３に示すように、サポートアーム３０をホルダ本体２０に対し上方に（収納部２４の開口２４ａに接近する方向に）回動付勢するサポート付勢バネ４０と、サポートアーム３０のホルダ本体２０に対する回動範囲を規制するストッパ５０と、を有する。
【００１４】
ホルダ本体２０は、樹脂製であり、図６に示すように、ケース体２１と、ケース体２１に着脱可能に取付けられるベース２２と、ベース２２に取付けられるパネル２３と、を備える。
【００１５】
ケース体２１は、車両のインストルメントパネル、コンソールパネル等の内装部材自体であってもよく、車両の内装部材と別体に形成されて該内装部材に取付けられていてもよい。ケース体２１は、上方に開放する収納凹部２１ａを備える箱状である。
【００１６】
ベース２２は、図１に示すように、ケース体２１の長手方向の（左右の）中央部に、ケース体２１の長手方向と直交する方向を長手方向とする姿勢で、配置される。
【００１７】
パネル２３は、ベース２２の上部に、ケース体２１の長手方向と直交する方向を長手方向とする姿勢で、配置される。パネル２３は、図３、図５に示すように、ベース２２とパネル２３の一方に設けられる係合部２２ａをベース２２とパネル２３の他方に設けられる係合受部２３ａに係合させることで、ベース２２に固定して取付けられる。
【００１８】
収納部２４は、図１に示すように、ケース体２１の収納凹部２１ａのうち、ベース２２とパネル２３とによって２つに分けられた部分である。この収納部２４の各々に収納物（カップ、飲料水容器等）を収納可能である。
【００１９】
サポートアーム３０は、樹脂製である。サポートアーム３０は、各収納部２４に１個ずつ設けられている。サポートアーム３０は、上方位置で収納物の側面を支持できるようにするため、ホルダ本体２０の、収納部２４の開口２４ａ側の端部（上端部）またはその近傍に取付けられる。サポートアーム３０は、図３、図５に示すように、ホルダ本体２０とサポートアーム３０の一方に回動軸部３１を設け、ホルダ本体２０とサポートアーム３０の他方に回動軸部３１を回動可能に支持する回動軸受部２５を設けることで、ホルダ本体２０に回動可能に支持される。なお、図示例では、サポートアーム３０が、サポートアーム３０に回動軸部３１を一体に設け、ホルダ本体２０のベース部２２とパネル２３にそれぞれ半割り状の回動軸受部２５を設けることで、ホルダ本体２０に回動可能に支持される場合を示している。回動軸部３１と回動軸受部２５の位置は（サポートアーム３０の回動軸の位置は）、サポートアーム３０がホルダ本体２０に対して回動しても、不変である。
【００２０】
サポートアーム３０は、ストッパ５０の規制が解除されていないとき、図６に示すように、収納部２４内に突出する突出位置３０ａと、収納部２４に収納される収納物によって押し下げられて下方に（突出位置３０ａから収納部開口２４ａ側と反対側に）回動し先端がホルダ本体２０（ベース２２）に当接する押し下げ位置３０ｂとの間で、ホルダ本体２０に対し回動可能である。これにより、収納部２４の寸法を変化させ、直径の異なる収納物の挿入、保持が可能となる。なお、突出位置３０ａと押し下げ位置３０ｂとの間の角度は、たとえば６０度程度である。
【００２１】
サポート付勢バネ４０は、図５に示すように、金属製であり、たとえばトーションスプリング（ねじりコイルバネ）である。サポート付勢バネ４０は、１個のサポートアーム３０に１個のみ使用される。サポート付勢バネ４０の一端部はホルダ本体２０に当たっており（係合しており、組付けられており）、サポート付勢バネ４０の他端部はサポートアーム３０に当っている（係合している、組付けられている）。
【００２２】
ストッパ５０は、樹脂製である。ストッパ５０は、ホルダ本体２０に一体に設けられるホルダ本体側ストッパ５１と、サポートアーム３０に一体に設けられるサポートアーム側ストッパ５２と、を備える。
【００２３】
ストッパ５０は、図６に示すように、サポートアーム３０が収納部２４内に突出する突出位置３０ａにあるときに、ホルダ本体側ストッパ５１とサポートアーム側ストッパ５２とが当接し合いそれ以上サポートアーム３０がホルダ本体２０に対し上方に回動することを規制する。
【００２４】
ホルダ本体側ストッパ５１とサポートアーム側ストッパ５２の一方は、片持ち梁形状とされており、樹脂弾性を利用して弾性変形可能とされている。
ホルダ本体側ストッパ５１が片持ち梁形状とされている場合、ホルダ本体側ストッパ５１は、一端部でホルダ本体２０に固定され他端部が自由端とされた片持ち梁形状とされており、樹脂弾性を利用して弾性変形可能とされている。また、サポートアーム側ストッパ５２が片持ち梁形状とされている場合、サポートアーム側ストッパ５２は、一端部でサポートアーム３０に固定され他端部が自由端とされた片持ち梁形状とされており、樹脂弾性を利用して弾性変形可能とされている。
【００２５】
ストッパ５０は、突出位置３０ａにあるサポートアーム３０に上方への荷重がかかった際に、ホルダ本体側ストッパ５１とサポートアーム側ストッパ５２の一方（ホルダ本体側ストッパ５１とサポートアーム側ストッパ５２のうち片持ち梁形状とされ弾性変形可能とされている方）がホルダ本体側ストッパ５１とサポートアーム側ストッパ５２の他方によって押されて撓むことで（弾性変形することで）、突出位置３０ａにおけるサポートアーム３０の規制を解除する。
サポートアーム３０が突出位置３０ａにあるとき、ホルダ本体側ストッパ５１とサポートアーム側ストッパ５２とは、互いに面接触するよう構成されていてもよい。互いに面接触するよう構成されている場合、ホルダ本体側ストッパ５１とサポートアーム側ストッパ５２との当接時にホルダ本体側ストッパ５１および／またはサポートアーム側ストッパ５２が破損することを抑制でき、また、ホルダ本体側ストッパ５１とサポートアーム側ストッパ５２とに摩擦力を発生させて確実にストッパ５０を機能させることができる。
【００２６】
ここで、本発明全実施例にわたって共通する作用を説明する。
収納物の側面の凹部がサポートアーム３０に引っ掛かった状態で無理に収納物を収納部２４から引き抜こうとした場合等、突出位置３０ａにあるサポートアーム３０に上方への荷重がかかると、図８に示すように、ホルダ本体側ストッパ５１とサポートアーム側ストッパ５２の一方（ホルダ本体側ストッパ５１とサポートアーム側ストッパ５２のうち片持ち梁形状されており弾性変形可能とされている方）が、ホルダ本体側ストッパ５１とサポートアーム側ストッパ５２の他方によって押されて、図中ａの方向に撓む。
サポートアーム３０への荷重を加え続け、ホルダ本体側ストッパ５１とサポートアーム側ストッパ５２の前記一方の撓み量がストッパ５０の掛かり量（図中ｂ）を超えると、ストッパ５０が外れる（ストッパ５０によるサポートアーム３０の回動規制が解除される）。
その結果、サポートアーム３０がフリー状態になり、サポートアーム３０が回動軸部３１を中心に突出位置３０ａより上方に回転可能な状態になる。
よって、サポートアーム３０を突出位置３０ａよりも上方に回動させることができ、ホルダ装置１０（サポートアーム３０の軸部等）を破損させることなく収納物を収納部２４から引き抜くことができる。
【００２７】
なお、サポートアーム３０への荷重Ｆの設定値（狙い値）により、ホルダ本体側ストッパ５１とサポートアーム側ストッパ５２の前記一方の板厚、ホルダ本体側ストッパ５１とサポートアーム側ストッパ５２との当接面（ストッパ面）の角度などを計算し、ストッパ５０が外れるのに要する荷重を設定することができる。
また、外れたストッパ５０は、ホルダ本体側ストッパ５１とサポートアーム側ストッパ５２の前記一方を、ストッパ５０を外す方向にもう一度撓ませることで、元に戻すことができる。
【００２８】
ホルダ本体側ストッパ５１がホルダ本体２０に一体に設けられておりサポートアーム側ストッパ５２がサポートアーム３０に一体に設けられており、ホルダ本体側ストッパ５１とサポートアーム側ストッパ５２の一方が片持ち梁形状とされており樹脂弾性を利用して弾性変形可能とされているため、部品点数を増加させずにストッパ５０の規制を解除させることができる。
【００２９】
本発明実施例では、ホルダ本体側ストッパ５１とサポートアーム側ストッパ５２の一方が片持ち梁形状とされており樹脂弾性を利用して弾性変形可能とされている場合を説明したが、ホルダ本体側ストッパ５１とサポートアーム側ストッパ５２の両方が片持ち梁形状とされており樹脂弾性を利用して弾性変形可能とされていてもよく、ホルダ本体側ストッパ５１とサポートアーム側ストッパ５２の一方または両方が両持ち梁形状とされており樹脂弾性を利用して弾性変形可能とされていてもよい。
【００３０】
本発明実施例では、ホルダ本体２０が、ケース体２１とベース２２とパネル２３とを備え、２つの収納部２４に収納物を収納可能となっている場合を説明したが、ホルダ本体２０は、収納部２４を少なくとも１個有しておりサポートアーム３０を上下方向に回動可能に支持していれば、上記の構成に限定されるものではない。
【００３１】
つぎに、本発明各実施例に特有な部分を説明する。
〔実施例１〕（図１〜図８）
本発明実施例１では、図８に示すように、ホルダ本体側ストッパ５１が片持ち梁形状とされており樹脂弾性を利用して弾性変形可能とされている場合であって、ホルダ本体側ストッパ５１の一端部５１ａがベース２２に固定されている場合を示している。
【００３２】
〔実施例２〕（図９）
本発明実施例２では、図９に示すように、ホルダ本体側ストッパ５１が片持ち梁形状とされており樹脂弾性を利用して弾性変形可能とされている場合であって、ホルダ本体側ストッパ５１の一端部５１ａがパネル２３に固定されている場合を示している。
【００３３】
〔実施例３〕（図１０）
本発明実施例３では、図１０に示すように、サポートアーム側ストッパ５２が片持ち梁形状とされており樹脂弾性を利用して弾性変形可能とされている場合であって、サポートアーム側ストッパ５２の一端部５２ａがサポートアーム３０に固定されている場合を示している。
【符号の説明】
【００３４】
１０  車両用ホルダ装置
２０  ホルダ本体
２１  ケース体
２２  ベース
２３  パネル
２４  収納部
２４ａ  収納部の開口
２５  回動軸受部
３０  サポートアーム
３０ａ  突出位置
３０ｂ  押し下げ位置
３１  回動軸部
４０  サポート付勢バネ
５０  ストッパ
５１  ホルダ本体側ストッパ
５２  サポートアーム側ストッパ
【図１】
2010269755.tif 000003
【図２】
2010269755.tif 000004
【図３】
2010269755.tif 000005
【図４】
2010269755.tif 000006
【図５】
2010269755.tif 000007
【図６】
2010269755.tif 000008
【図７】
2010269755.tif 000009
【図８】
2010269755.tif 000010
【図９】
2010269755.tif 000011
【図１０】
2010269755.tif 000012
【図１１】
2010269755.tif 000013
【図１２】
2010269755.tif 000014